(57)【要約】【課題】使用者の意図に確実に沿ってハードディスクの記憶容量を確保できるハードディスクレコーダを提供する。【解決手段】ハードディスク１３に記録されている放送番組のデータを再生する（ステップ＃１５）。放送番組のデータの再生が完了したとき（ステップ＃２０）、その放送番組のデータをハードディスク１３の消去用領域に移動させる（ステップ＃２５）。放送番組のデータがハードディスク１３の消去用領域に移動されると、その消去用領域の放送番組のデータについて、消去の可否の選択入力を要請する（ステップ＃３０）。その要請に応じて消去可の入力がされたとき（ステップ＃３５）、ハードディスク１３の消去用領域から放送番組のデータを消去する（ステップ＃４０）。【選択図】図２
2007207347.tif 000002
【特許請求の範囲】
【請求項１】
放送番組のデータを取得してその放送番組のデータをハードディスクに記録し、記録された放送番組のデータを再生するハードディスクレコーダにおいて、
ハードディスクに記録されている放送番組のデータを再生するデータ再生手段と、
ハードディスクに記録されている放送番組のデータのうちから消去の対象にする放送番組のデータを指定する消去データ指定手段と、
データ再生手段による放送番組のデータの再生が完了したとき、又は、消去データ指定手段により放送番組のデータが指定されたとき、その放送番組のデータをハードディスクの消去用領域に移動させるデータ移動手段と、
データ移動手段により放送番組のデータがハードディスクの消去用領域に移動されると、その消去用領域の放送番組のデータについて、消去の可否、一括での消去の可否、又は、消去及び転送の可否の選択入力を要請するデータ消去要請手段と、
データ消去要請手段からの要請に応じて消去可の入力がされたとき、ハードディスクの消去用領域から放送番組のデータを消去し、一括での消去可の入力がされたとき、前記消去用領域から全ての放送番組のデータを消去し、消去及び転送可の入力がされたとき、前記消去用領域から放送番組のデータを消去するとともに前記ハードディスクとは別の記録媒体へ転送するデータ消去手段と、を備えることを特徴とするハードディスクレコーダ。
【請求項２】
放送番組のデータを取得してその放送番組のデータをハードディスクに記録し、記録された放送番組のデータを再生するハードディスクレコーダにおいて、
ハードディスクに記録されている放送番組のデータを再生するデータ再生手段と、
データ再生手段による放送番組のデータの再生が完了したとき、その放送番組のデータをハードディスクの消去用領域に移動させるデータ移動手段と、
データ移動手段により放送番組のデータがハードディスクの消去用領域に移動されると、その消去用領域の放送番組のデータについて、消去の可否の選択入力を要請するデータ消去要請手段と、
データ消去要請手段からの要請に応じて消去可の入力がされたとき、ハードディスクの消去用領域から放送番組のデータを消去するデータ消去手段と、を備えることを特徴とするハードディスクレコーダ。
【請求項３】
放送番組のデータを取得してその放送番組のデータをハードディスクに記録し、記録された放送番組のデータを再生するハードディスクレコーダにおいて、
ハードディスクに記録されている放送番組のデータのうちから消去の対象にする放送番組のデータを指定する消去データ指定手段と、
消去データ指定手段により放送番組のデータが指定されたとき、その放送番組のデータをハードディスクの消去用領域に移動させるデータ移動手段と、
データ移動手段により放送番組のデータがハードディスクの消去用領域に移動されると、その消去用領域の放送番組のデータについて、消去の可否の選択入力を要請するデータ消去要請手段と、
データ消去要請手段からの要請に応じて消去可の入力がされたとき、ハードディスクの消去用領域から放送番組のデータを消去するデータ消去手段と、を備えることを特徴とするハードディスクレコーダ。
【請求項４】
前記データ消去要請手段から要請される選択入力の選択肢には、以前に前記消去用領域に移動されたまま残っている放送番組のデータを含む前記消去用領域の放送番組のデータについて、一括での消去の可否が含まれ、
前記データ消去手段は、前記データ消去要請手段からの要請に応じて一括での消去可の入力がされたとき、前記消去用領域から全ての放送番組のデータを消去することを特徴とする請求項２又は３に記載のハードディスクレコーダ。
【請求項５】
前記データ消去要請手段から要請される選択入力の選択肢には、前記消去用領域の放送番組のデータについて、消去及び転送の可否が含まれ、
前記データ消去手段は、前記データ消去要請手段からの要請に応じて消去及び転送可の入力がされたとき、前記消去用領域から放送番組のデータを消去するとともに前記ハードディスクとは別の記録媒体へ転送することを特徴とする請求項２〜４のいずれかに記載のハードディスクレコーダ。
【発明の詳細な説明】
【技術分野】
【０００１】
本発明は、放送番組のデータをハードディスクに記録し再生するハードディスクレコーダに関する。
【背景技術】
【０００２】
ハードディスクレコーダ（Hard Disk Recorder；以下「ＨＤレコーダ」と記す場合がある）は、アナログ放送やデジタル放送によって送信された放送番組のデータを予約録画の設定や録画操作に従い取得して、記録媒体であるハードディスクに動画像データとして記録し、後に、その動画像データを再生操作に従いモニタ装置に送出して放送番組を表示（再生）させるものである。ここでのハードディスクには、取得した放送番組のデータが順次蓄積されていく。
【０００３】
ところで、ＨＤレコーダにおいては、ハードディスクの記憶容量が大きいとはいえ限られているため、ハードディスクにデータが蓄積され続けると、ハードディスクの記憶容量が不足する事態が生じ得る。このような事態が生じた場合、新たに放送番組のデータを記録しようとしても、途中までのデータしか記録されなかったり、データ全てが記録されなかったりする。つまり、新たな放送番組のデータの記録を失敗する。
【０００４】
このような事態に対処するために、従来一般のＨＤレコーダでは、適宜使用者の入力操作に従ってハードディスクを初期化し、これによりハードディスクに記録されている放送番組のデータ全てを消去することで、ハードディスクの記憶容量を確保するようにしている。また、別の手法として、例えば特許文献１〜８に開示されているように、ハードディスクに記録されている放送番組のデータのうちで、再生されたか否かすなわち使用者が視聴したか否かを問わず古いデータから順に自動的に消去したり、再生されたすなわち使用者が視聴したデータを自動的に消去したりすることで、ハードディスクの記憶容量を確保するものがある。
【特許文献１】特開２００５−２５７９２７号公報
【特許文献２】特開２００５−５７６９２号公報
【特許文献３】特開２００４−２２０６９６号公報
【特許文献４】特開２００４−１２７４１１号公報
【特許文献５】特開２００３−１８９２１８号公報
【特許文献６】特開２００５−１８４２１８号公報
【特許文献７】特開２００４−１０３０６５号公報
【特許文献８】特開２００５−１０９７４２号公報
【発明の開示】
【発明が解決しようとする課題】
【０００５】
しかし、上記した従来のＨＤレコーダでは、ハードディスクの記憶容量を確保するにあたり、使用者が未だ視聴していないが視聴しようと考えていた放送番組のデータや、使用者が一旦視聴したが再度視聴しようと考えていた放送番組のデータもハードディスクから消去されてしまう。従って、必ずしも使用者の意図に沿ってハードディスクの記憶容量を確保できるとは言えない。
【０００６】
そこで本発明は、上記の問題に鑑みてなされたものであり、使用者の意図に確実に沿ってハードディスクの記憶容量を確保できるハードディスクレコーダを提供することを目的とするものである。
【課題を解決するための手段】
【０００７】
上記目的を達成するため、本発明によるハードディスクレコーダは、放送番組のデータを取得してその放送番組のデータをハードディスクに記録し、記録された放送番組のデータを再生するハードディスクレコーダにおいて、次の点を特徴とする。ハードディスクに記録されている放送番組のデータを再生するデータ再生手段と、ハードディスクに記録されている放送番組のデータのうちから消去の対象にする放送番組のデータを指定する消去データ指定手段と、データ再生手段による放送番組のデータの再生が完了したとき、又は、消去データ指定手段により放送番組のデータが指定されたとき、その放送番組のデータをハードディスクの消去用領域に移動させるデータ移動手段と、データ移動手段により放送番組のデータがハードディスクの消去用領域に移動されると、その消去用領域の放送番組のデータについて、消去の可否、一括での消去の可否、又は、消去及び転送の可否の選択入力を要請するデータ消去要請手段と、データ消去要請手段からの要請に応じて消去可の入力がされたとき、ハードディスクの消去用領域から放送番組のデータを消去し、一括での消去可の入力がされたとき、前記消去用領域から全ての放送番組のデータを消去し、消去及び転送可の入力がされたとき、前記消去用領域から放送番組のデータを消去するとともに前記ハードディスクとは別の記録媒体へ転送するデータ消去手段と、を備える。
【０００８】
このようにすれば、ハードディスクに記録されている放送番組のデータを消去する際、消去されてもよいと一旦された放送番組のデータについて、あらためて使用者が消去の可否を判断できるため、使用者が不要と考える放送番組のデータのみを確実に消去することが可能になる。
【０００９】
また、上記目的を達成するための本発明によるハードディスクレコーダは、放送番組のデータを取得してその放送番組のデータをハードディスクに記録し、記録された放送番組のデータを再生するハードディスクレコーダにおいて、ハードディスクに記録されている放送番組のデータを再生するデータ再生手段と、データ再生手段による放送番組のデータの再生が完了したとき、その放送番組のデータをハードディスクの消去用領域に移動させるデータ移動手段と、データ移動手段により放送番組のデータがハードディスクの消去用領域に移動されると、その消去用領域の放送番組のデータについて、消去の可否の選択入力を要請するデータ消去要請手段と、データ消去要請手段からの要請に応じて消去可の入力がされたとき、ハードディスクの消去用領域から放送番組のデータを消去するデータ消去手段と、を備える。
【００１０】
このようにしても、ハードディスクに記録されている放送番組のデータを消去する際、消去されてもよいと一旦された放送番組のデータについて、あらためて使用者が消去の可否を判断できるため、使用者が不要と考える放送番組のデータのみを確実に消去することが可能になる。
【００１１】
また、上記目的を達成するための本発明によるハードディスクレコーダは、放送番組のデータを取得してその放送番組のデータをハードディスクに記録し、記録された放送番組のデータを再生するハードディスクレコーダにおいて、ハードディスクに記録されている放送番組のデータのうちから消去の対象にする放送番組のデータを指定する消去データ指定手段と、消去データ指定手段により放送番組のデータが指定されたとき、その放送番組のデータをハードディスクの消去用領域に移動させるデータ移動手段と、データ移動手段により放送番組のデータがハードディスクの消去用領域に移動されると、その消去用領域の放送番組のデータについて、消去の可否の選択入力を要請するデータ消去要請手段と、データ消去要請手段からの要請に応じて消去可の入力がされたとき、ハードディスクの消去用領域から放送番組のデータを消去するデータ消去手段と、を備える。
【００１２】
このようにしても、ハードディスクに記録されている放送番組のデータを消去する際、消去されてもよいと一旦された放送番組のデータについて、あらためて使用者が消去の可否を判断できるため、使用者が不要と考える放送番組のデータのみを確実に消去することが可能になる。
【００１３】
ここで、実用性を踏まえると、前記データ消去要請手段から要請される選択入力の選択肢には、以前に前記消去用領域に移動されたまま残っている放送番組のデータを含む前記消去用領域の放送番組のデータについて、一括での消去の可否が含まれ、前記データ消去手段は、前記データ消去要請手段からの要請に応じて一括での消去可の入力がされたとき、前記消去用領域から全ての放送番組のデータを消去するようになっていることが好ましい。
【００１４】
また、より実用的には、前記データ消去要請手段から要請される選択入力の選択肢には、前記消去用領域の放送番組のデータについて、消去及び転送の可否が含まれ、前記データ消去手段は、前記データ消去要請手段からの要請に応じて消去及び転送可の入力がされたとき、前記消去用領域から放送番組のデータを消去するとともに前記ハードディスクとは別の記録媒体へ転送するようになっていることが好ましい。
【発明の効果】
【００１５】
本発明のハードディスクレコーダによれば、使用者の意図に確実に沿ってハードディスクの記憶容量を確保できる。
【発明を実施するための最良の形態】
【００１６】
以下に、本発明のハードディスクレコーダの一実施形態について図面を参照しながら詳述する。図１は本発明の一実施形態であるＨＤレコーダの概略構成を示すブロック図、図２はそのＨＤレコーダにおけるハードディスクのデータ消去の動作を示すフローチャートである。
【００１７】
図１に示すように、本実施形態でのＨＤレコーダ１は、記録媒体としてハードディスク１３のみならずＤＶＤ（Digital Versatile Disk）１６も採用したＤＶＤドライブ搭載型ＨＤレコーダであって、受信した放送番組のデータを予約録画や録画操作に従い取得して、ハードディスク１３やＤＶＤ１６に動画像データとして記録し、後に、その動画像データを再生操作に従いモニタ装置３０に送出して放送番組を表示（再生）させて視聴させるものである。もっとも、このＨＤレコーダ１では、ハードディスク１３、ＤＶＤ１６相互の間で動画像データを転送することも可能であり、一方にデータを残したまま他方に転送するというコピー（いわゆるダビング）や、一方からデータを消去して他方に転送するという移動（いわゆるムービング）が行える。
【００１８】
このＨＤレコーダ１は、大きくは、システム制御回路２と、ＯＳＤ（On Screen Display）画像生成回路４と、操作部５と、受光部６と、計時回路７と、表示部８と、チューナ９と、ＭＰＥＧ（Moving Picture Experts Group）エンコーダ１０と、バッファメモリ１１と、ハードディスクドライブ（Hard Disk Drive；以下「ＨＤドライブ」と記す場合がある）１２と、ＤＶＤドライブ１５と、ＭＰＥＧデコーダ１８と、出力部１９とを備える。システム制御回路２はメモリ３を含む。ＨＤドライブ１２は、ハードディスク１３と情報記録ヘッド１４とを含む。ＤＶＤドライブ１５は、外部から着脱可能なＤＶＤ１６と、情報記録ヘッド１７とを含む。チューナ９には、アンテナ２０が接続される。出力部１９には、テレビや表示専用モニタ等のモニタ装置３０に接続される。
【００１９】
システム制御回路２は、信号の入出力を行ないながら、ＨＤレコーダ１全体の動作を制御する。この動作には、受信した動画像データ（音声データも含む）の記録、記録されたデータの読出し、ハードディスク１３内でのデータの移動、ハードディスク１３からのデータの消去やＤＶＤ１６へのデータのムービング等が含まれる。この制御は、例えばメモリ３に予め記憶されたプログラムに基づいて行なわれる。
【００２０】
システム制御回路２は、使用者の指示を検出すると、モニタ装置３０に所定の画面を表示させるための信号を生成する。この画面には、予約録画を設定するための画面（ＥＰＧ（電子番組表；Electronic Program Guide）の画面も含む）、ハードディスク１３やＤＶＤ１６に記録されたデータが一覧表示（インデックス表示）される画面、そのデータに基づく動画像が再生される画面、ハードディスク１３からデータの消去を実行するための画面等が含まれる。
【００２１】
ＯＳＤ画像生成回路４は、操作部５からの指示、又は受光部６を介して取得したリモコン端末からの指示に基づいて、或いはシステム制御回路２において予め定められた条件に基づいて、メッセージ画像を表示するための信号を生成する。このメッセージ画像とは、チャネル表示、録画設定画面表示、データ消去実行画面表示、音量表示等の画像であって、ＨＤドライブ１２やＤＶＤドライブ１５からの動画像とは異なる画像である。ＯＳＤ画像生成回路４は、このようなメッセージ画像の信号を生成すると、出力部１９に出力する。この信号が出力されると、その信号が表すメッセージ画像がモニタ装置３０に表示される。
【００２２】
操作部５は、使用者が入力した指示を検出する。操作部５は、例えばＨＤレコーダ１の前面のパネルに設けられた入力ボタンであるが、これに限られない。指示が検出されると、その指示に対応する処理を実行させるための信号が生成される。この信号は、システム制御回路２に出力される。
【００２３】
受光部６は、リモコン端末から発せられたリモコン信号を受信する。この信号は、システム制御回路２に出力される。
【００２４】
計時回路７は、ＨＤレコーダ１における時間を計測する。計時回路７は、外部から供給される電力に基づいて作動するが、一時的な停電があっても、予め設定された時間は作動し続けることができる。計時回路７は、時刻データをシステム制御回路２に出力する。また、システム制御回路２からの制御信号が入力される。計時回路７の時刻は、システム制御回路２から信号に基づいて補正される。
【００２５】
表示部８は、ＨＤレコーダ１に関する情報を表示する。この情報には、時間、受信チャネル、カウンタ、録画／再生モード、データ消去モードその他の項目が含まれる。この表示部８は、例えばＨＤレコーダ１の前面に設けられたＬＣＤ（Liquid Crystal Display）やＬＥＤ（Light Emitting Diode）であるが、これに限られない。
【００２６】
チューナ９は、アナログ放送、デジタル放送等により送信される番組の動画像データをアンテナ２０を介して受信する。チューナ９により受信されたデータ信号は、ＭＰＥＧエンコーダ１０に出力される。また、チューナ９は、システム制御回路２からの信号に基づいて受信チャネルを切り換えることができる。
【００２７】
ＭＰＥＧエンコーダ１０は、チューナ９から入力されたアナログ信号をＭＰＥＧ符号化されたデジタル信号に変換して、システム制御回路２に出力する。
【００２８】
ＨＤドライブ１２は、システム制御回路２からの信号に基づいて、ＭＰＥＧ符号化されたデータを情報記録ヘッド１４によりハードディスク１３に書き込んだり、ハードディスク１３に記憶されたデータを読み出したりする。また、ＤＶＤ１６に記録されているデータを受け入れてハードディスク１３に書き込む。特に本実施形態でのハードディスク１３の記録領域には、消去されてもよいとされる放送番組のデータが記録される消去用領域が設けられていて、ＨＤドライブ１２は、チューナ９を介してハードディスク１３に記憶されたデータをその消去用領域に移動させるように書き込んだり、消去用領域すなわちハードディスク１３から消去したりする。
【００２９】
ＤＶＤドライブ１５は、システム制御回路２からの信号に基づいて、ＭＰＥＧ符号化されたデータを情報記録ヘッド１７によりＤＶＤ１６に書き込んだり、ＤＶＤ１６に記憶されたデータを読み出したりする。また、ハードディスク１３に記録されているデータを受け入れてＤＶＤ１６に書き込む。
【００３０】
バッファメモリ１１は、システム制御回路２からの信号に基づいて、放送番組の録画の際は、ＨＤレコーダ１により受信された動画像データを一時的に記録し、一時的に記録されたデータは、順次、ＨＤドライブ１２又はＤＶＤドライブ１５へ送出される。また、ハードディスク１３からＤＶＤ１６へのデータのムービングの際は、移動元となるＨＤドライブ１２から動画像データを受け取って一時的に記録し、一時的に記録されたデータは、順次、移動先となるＤＶＤドライブ１５へ送出される。
【００３１】
ＭＰＥＧデコーダ１８は、記録された動画像の再生の際、ＨＤドライブ１２又はＤＶＤドライブ１５から読み出された、ＭＰＥＧ符号化されたデータを復号化して出力部１９に出力する。
【００３２】
出力部１９は、ＯＳＤ画像生成回路４からの信号、及びＭＰＥＧデコーダ１８からの信号をモニタ装置３０に出力する。これにより、モニタ装置３０には、ＯＳＤ画像生成回路４により生成された画像メッセージと、ＨＤドライブ１２又はＤＶＤドライブ１５から読み出された動画像とが表示される。
【００３３】
続いて、ＨＤレコーダ１による予約録画の設定について説明する。操作部５又はリモコン端末から、予約録画設定の指令を受けると、システム制御回路２により、ＯＳＤ画像生成回路４を通じてモニタ装置３０に録画設定画面が表示される。録画設定画面では、録画対象番組のチャネル、録画開始時刻、録画終了時刻、録画日、毎週録画、毎日録画、記録先（ハードディスク１３、ＤＶＤ１６）といった項目が表示される。
【００３４】
一定の周期で送信されるシリーズの番組を周期録画しようとする場合は、その番組のチャネル、録画開始時刻、録画終了時刻、及び周期録画を指定する毎週録画、毎日録画等について、主にリモコン端末での操作によって設定する。一回限りの予約録画をしようとする場合は、その対象番組のチャネル、録画開始時刻、録画終了時刻、及び録画日等について設定する。
【００３５】
このような予約録画に関する入力設定データは、メモリ３に保存される。ここでの周期録画に関するデータは、周期録画が解除されるまでメモリ３に保存され続け、一回限りの予約録画に関するデータは、その録画が完了すると消去される。
【００３６】
このようにして設定された予約録画は次のように実行される。システム制御回路２は、メモリ３に保存されている予約録画に関するデータに基づき、所定の開始時間になると、チューナ９からＭＰＥＧエンコーダ１０を介して所定のチャネルの動画像データ（放送番組のデータ）を取得する。その動画像データは、バッファメモリ１１に一時的に記録され、順次、所定の記録媒体へのドライブ（ＨＤドライブ１２又はＤＶＤドライブ１５）へ送出される。送出されたデータは、情報記録ヘッド１４又は１７によりハードディスク１３又はＤＶＤ１６に書き込まれて記録されていく。そして所定の終了時間になると、これらの動作を終了して録画が完了する。
【００３７】
次に、このようなＨＤレコーダ１において、ハードディスク１３に記録されている放送番組のデータを消去する際の動作について、図２を参照しながら説明する。使用者から主にリモコン端末を通じて、ハードディスク１３に記録されている放送番組のデータについての一覧表示の入力操作を受けると、システム制御回路２からの信号により、ハードディスク１３に記録されている放送番組のデータに関する情報データが読み出され、出力部１９を経て、モニタ装置３０にその放送番組の一覧がジャンル別、時間順、又はチャンネル順に表示される。
【００３８】
ステップ＃５で、その一覧表示から使用者の所望する放送番組が選択され、続くステップ＃１０で、選択されたその放送番組について、使用者が消去の対象に指定をしようとして、使用者から消去の入力操作を受けると、ステップ＃２５に進む。一方、ステップ＃１０で、選択されたその放送番組を使用者が視聴しようとして、使用者から再生の入力操作を受けると、ステップ＃１５に進む。
【００３９】
このステップ＃１５では、ハードディスク１３からその放送番組の動画像データが読み出され、読み出されたデータは、順次、ＭＰＥＧデコーダ１８を介して出力部１９へ出力される。こうして、モニタ装置３０にその放送番組が表示されて、再生される。続いてステップ＃２０で、その番組の再生が完了すると、ステップ＃２５に進む。なお、再生の途中に使用者からの操作で再生が中断した場合、その中断の時点のデータにマーキングが施され、次の再生時にはそのマーキング時点から再生が始まる。
【００４０】
そして、ステップ＃２５では、チューナ９を介してハードディスク１３に記録されているデータのうち、ステップ＃１０で消去の対象に指定された放送番組のデータ（以下、「消去指定データ」と記す場合がある）、又は、ステップ＃１５、＃２０を経て再生が完了した放送番組のデータ（以下、「再生完了データ」と記す場合がある）が、消去されてもよいと一旦されて、同一ハードディスク１３内の消去用領域に移動される。
【００４１】
続いて、ステップ＃３０では、システム制御回路２からの信号により、単独消去の可否、一括での消去の可否、又はムービングの可否の選択入力を促す画面がモニタ装置３０に表示される。つまりここで、あらためて使用者からの消去の可否の判断が要請される。ここでの単独消去とは、今回ハードディスク１３の消去用領域に移動された消去指定データ又は再生完了データのみについて、消去用領域すなわちハードディスク１３から消去することである。一括での消去とは、以前にハードディスク１３の消去用領域に移動されたまま残っている消去指定データ又は再生完了データを含む、消去用領域に現存する消去指定データ又は再生完了データ全てについて、消去用領域すなわちハードディスク１３から一括して消去することである。ムービングとは、今回ハードディスク１３の消去用領域に移動された消去指定データ又は再生完了データのみについて、消去用領域すなわちハードディスク１３から消去するとともにＤＶＤ１６に転送することである。なお、ムービングとしては、消去用領域に現存する消去指定データ又は再生完了データ全てを対象とするものであってもよい。
【００４２】
使用者から単独消去の入力操作を受けると（ステップ＃３５）、ステップ＃４０に進んで、ハードディスク１３の消去用領域から、今回消去用領域に移動された消去指定データ又は再生完了データのみが消去される。また、使用者から一括での消去の入力操作を受けると（ステップ＃４５）、ステップ＃５０に進んで、ハードディスク１３の消去用領域から、消去用領域に現存する消去指定データ又は再生完了データ全てが一括して消去される。また、使用者からムービングの入力操作を受けると（ステップ＃５５）、ステップ＃６０に進んで、ハードディスク１３の消去用領域から、今回消去用領域に移動された消去指定データ又は再生完了データが消去されるとともに、そのデータがＤＶＤ１６に転送されて記録される。
【００４３】
一方、いずれの消去も入力されない場合、すなわち使用者がハードディスク１３からの消去指定データ又は再生完了データの消去を思いとどまった場合は、そのデータはハードディスク１３の消去用領域に記録されたままに維持される。
【００４４】
なお、データ消去（ムービングも含む）中は、その旨がモニタ装置３０に表示され、完了と同時に、ハードディスク１３に記録されている放送番組のデータの一覧表示画面や、テレビ画面に切り替わる。また、データ消去の開始とともに一覧表示画面やテレビ画面に切り替わり、データ消去中は、その旨がＯＳＤとしてモニタ装置３０に表示され、完了と同時にその表示が消えるようにすることも可能である。
【００４５】
もっとも、ハードディスク１３に記録されている放送番組のデータのうちで、使用者が不用意に消去されては困ると考える放送番組のデータについては、番組保護機能を用いて、録画設定画面や一覧表示画面で予め消去の不可を登録しておけばよい。消去の不可が登録された放送番組のデータは、上記したデータ消去の動作では消去されない。
【００４６】
このようなＨＤレコーダ１によれば、ハードディスク１３に記録されている放送番組のデータを消去する際、消去されてもよいと一旦された放送番組のデータについて、あらためて使用者が消去の可否を判断できるため、使用者が不要と考える放送番組のデータのみを確実に消去することが可能になる。つまり、使用者の意図に確実に沿ってハードディスク１３の記憶容量を確保できる。
【００４７】
しかも、消去されてもよいと一旦された放送番組のデータがハードディスク１３の個別の消去用領域にまとめられるため、管理が容易であるという利点もある。また、ムービングについては、消去すべきかどうかの判断がその段階では困難な放送番組について有効である。後に、使用者が視聴しようと考えた時に、ＤＶＤ１６からデータを再生すればよいからである。
【００４８】
その他本発明は上記の各実施形態に限定されず、本発明の趣旨を逸脱しない範囲で、種々の変更が可能である。例えば、ムービングの際のデータの移動先としては、ＤＶＤ１６に限らず、記録媒体である限りどのようなものでも構わない。また、ＨＤレコーダ１に、これとは別のＤＶＤレコーダやパーソナルコンピュータをＵＳＢ端子等のインタフェースを介してケーブル接続すれば、そのＤＶＤレコーダのＤＶＤやパーソナルコンピュータのハードディスクにデータをムービングさせることも可能である。
【産業上の利用可能性】
【００４９】
本発明は、ハードディスクレコーダに有用である。
【図面の簡単な説明】
【００５０】
【図１】本発明の一実施形態であるハードディスクレコーダの概略構成を示すブロック図である。
【図２】本発明の一実施形態であるハードディスクレコーダにおけるハードディスクのデータ消去の動作を示すフローチャートである。
【符号の説明】
【００５１】
１    ハードディスクレコーダ
２    システム制御回路
３    メモリ
４    ＯＳＤ画像生成回路
５    操作部
６    受光部
７    計時回路
８    表示部
９    チューナ
１０    ＭＰＥＧエンコーダ
１１    バッファメモリ
１２    ハードディスクドライブ
１３    ハードディスク
１４    情報記録ヘッド
１５    ＤＶＤドライブ
１６    ＤＶＤ
１７    情報記録ヘッド
１８    ＭＰＥＧデコーダ
１９    出力部
２０    アンテナ
３０    モニタ装置
【図１】
2007207347.tif 000003
【図２】
2007207347.tif 000004